(57)【特許請求の範囲】
【請求項１】
互いに同期した、インターレース方式の右目用フィールド映像信号と、インターレース方式の左目用フィールド映像信号とが、対応する偶数フィールドごとおよび対応する奇数フィールドごとに対応付けて多重化された、ノンインタレース方式の１チャンネルのフレーム画像データに変換して交互に送信されるディジタル放送システムのディジタル放送受信機において、
受信する前記画像データは、フレーム内符号化画像データと予測符号化画像データが時間軸方向に所定の順序で並ぶＧＯＰ構造を一単位としたＧＯＰ画像データで構成され、且つ、復号した場合に、最初に再生表示される、奇数フィールド対応のＧＯＰ画像データ若しくは偶数フィールド対応のＧＯＰ画像データのいずれか定められた一方の先頭に、ＧＯＰ開始コードが付加されており、
受信した前記画像データを復調する受信手段と、
前記復調された画像データを受けて、前記ＧＯＰ開始コードを取得することによって、前記ＧＯＰ画像データを一単位として分離して出力する分離手段と、
前記分離された前記ＧＯＰ画像データを復号するデコード手段と、
前記復号された前記ＧＯＰ画像データの先頭を構成する、奇数若しくは偶数の所定フィールド対応のＧＯＰ画像データに対して当該所定フィールド対応の同期信号を付加して出力し、続く前記ＧＯＰ画像データに対して前記所定フィールドと異なる奇数若しくは偶数フィールド対応の同期信号を付加して出力し、さらに続く前記ＧＯＰ画像データに対して、同様に、奇数若しくは偶数フィールド対応の同期信号を交互に付加して出力する出力フォーマット手段とを備える、ディジタル放送受信機。
【請求項２】
前記ＧＯＰ画像データに含まれる前記画像データ数は、偶数である、請求項１記載のディジタル放送受信機。
【発明の詳細な説明】
【０００１】
【発明の属する技術分野】
本発明は、ディジタル放送受信機に関し、特に、受信した１チャンネルの立体放送方式対応の画像データを適切にフォーマット化し立体再生表示することができるディジタル放送受信機に関するものである。
【０００２】
【従来の技術】
従来より、ディジタル放送システムの一例として、５２５ｐ順次走査方式によるディジタル放送システム（以下、ノンインタレースディジタル放送システムと呼ぶ）がある。
【０００３】
このような、ノンインタレースディジタル放送システムについては、例えば、１９９６年２月２７日発表のテレビジョン学会技術報告第２０巻第１３号の第２５頁〜第３０頁の浦野その他による「５２５順次走査信号対応ＣＳディジタル放送システムの開発」に詳細が示されているので、ここではその詳細な説明は省略する。ノンインタレースディジタル放送システムは、現行のインタレース走査方式（ＮＴＳＣ）と異なる、ノンインタレース走査方式対応の画像データを用いて放送サービスを提供する。
【０００４】
さらに、このノンインタレースディジタル放送システムを用いて、立体放送サービスを行なうディジタル立体放送システムが本願の出願人によって提案されているが（特願平０８−３２６７２１）、いまだ公知ではない。この提案されたディジタル立体放送システムは、インタレース走査方式対応の右目用および左目用の合計２フィールドの画像データをノンインタレース走査方式対応の１フレームの画像データに変換することにより、１チャンネルの伝送路を用いて画像データを伝送し、これを立体表示しようとするものである。
【０００５】
【発明が解決しようとする課題】
すなわち、上述のように提案されている従来のディジタル立体放送システムの送信側からは、奇数フィールド対応の右目用および左目用の画像データを含む１チャンネルの画像データと、偶数フィールド対応の右目用および左目用の画像データを含む１チャンネルの画像データとが交互に送信される。
【０００６】
一方、このようなディジタル立体放送システムの受信側においては、受信した１チャンネルの画像データを２チャンネルのインタレース走査方式対応の画像データ（右目用、左目用）に戻し、さらに分離した画像データのそれぞれをフォーマット化し再生表示する。
【０００７】
しかしながら、上述のような提案されているディジタル立体放送システムの受信側においては、フォーマット化する画像が奇数フィールドに対応するものか、偶数フィールドに対応するものかを判別する機能がない。
【０００８】
従って、奇数フィールド（または、偶数フィールド）対応の画像データを偶数フィールド（奇数フィールド）対応の画像データとみなしてフォーマット化してしまう。この結果、提案されているディジタル立体放送システムの受信機においては、奇数フィールドと偶数フィールドとが入れ違って再生表示される確率が大きいという問題があった。
【０００９】
そこで、本発明は、かかる問題を解決するためになされたものであり、その目的は、１チャンネルの立体放送方式対応の画像データを適切にフォーマット化し再生表示することができるディジタル放送受信機を提供することにある。
【００１０】
【課題を解決するための手段】
請求項１に係るディジタル放送受信機は、互いに同期した、インターレース方式の右目用フィールド映像信号と、インターレース方式の左目用フィールド映像信号とが、対応する偶数フィールドごとおよび対応する奇数フィールドごとに対応付けて多重化された、ノンインタレース方式の１チャンネルのフレーム画像データに変換して交互に送信されるディジタル放送システムのディジタル放送受信機において、受信する前記画像データは、フレーム内符号化画像データと予測符号化画像データが時間軸方向に所定の順序で並ぶＧＯＰ構造を一単位としたＧＯＰ画像データで構成され、且つ、復号した場合に、最初に再生表示される、奇数フィールド対応のＧＯＰ画像データ若しくは偶数フィールド対応のＧＯＰ画像データのいずれか定められた一方の先頭に、ＧＯＰ開始コードが付加されており、受信した前記画像データを復調する受信手段と、前記復調された画像データを受けて、前記ＧＯＰ開始コードを取得することによって、前記ＧＯＰ画像データを一単位として分離して出力する分離手段と、前記分離された前記ＧＯＰ画像データを復号するデコード手段と、前記復号された前記ＧＯＰ画像データの先頭を構成する、奇数若しくは偶数の所定フィールド対応のＧＯＰ画像データに対して当該所定フィールド対応の同期信号を付加して出力し、続く前記ＧＯＰ画像データに対して前記所定フィールドと異なる奇数若しくは偶数フィールド対応の同期信号を付加して出力し、さらに続く前記ＧＯＰ画像データに対して、同様に、奇数若しくは偶数フィールド対応の同期信号を交互に付加して出力する出力フォーマット手段とを備える。
【００１２】
請求項２に係るディジタル放送受信機は、請求項１に係るディジタル放送受信機であって、ＧＯＰ画像データに含まれる画像データ数は、偶数である。
【００１３】
【発明の実施の形態】
［実施の形態１］
本発明の実施の形態１は、ディジタル放送受信機において、受信した１チャンネルの立体放送方式対応の画像データを適切にフォーマット化し立体表示することを可能とするものである。
【００１４】
本発明の実施の形態１におけるディジタル放送受信機は、入力として、予め定められた取り決めに従い符号化された、１チャンネルの立体放送方式対応の画像データを受け、再生表示を行なう。
【００１５】
図１は、本発明の実施の形態１のディジタル放送受信機１００において受信する立体放送方式対応の画像データの画面構成の一例を示す図である。
【００１６】
図１を参照して、立体放送方式対応の画像データの画面は、標準的なノンインタレース走査方式の画面構成である、水平方向画素数７０４画素（Ｉ＝１〜７０４）×垂直方向画素数４８０画素（Ｊ＝１〜４８０）に一致している。
【００１７】
また、立体放送方式対応の画像データの画面は、２つのブロックＢ１、Ｂ２から構成されている。ブロックＢ１、Ｂ２のいずれか一方がインタレース走査方式で取得した右目用の画像データの画面であり、他方がインタレース走査方式で取得した左目用の画像データの画面である（以下、簡単のためブロックＢ１が右目用、ブロックＢ２が左目用に対応しているものとする）。
【００１８】
さらに、立体放送方式対応の画像データは、奇数フィールド対応の２画面（右目用、左目用）の画像データを含んだフレーム画像、もしくは、偶数フィールド対応の２画面（右目用、左目用）の画像データを含んだフレーム画像に分類される。
【００１９】
このような立体放送方式対応の画像データを生成する画像データ生成装置３００の構成、動作について説明する。
【００２０】
図２は、画像データ生成装置３００の基本構成の一例を概略的に示すブロック図である。図２を参照して、画像データ生成装置３００は、インタレース走査方式対応カメラ２１ａ，２１ｂ、およびフレームメモリ装置２０を備える。
【００２１】
フレームメモリ装置２０は、カメラ２１ａ、２１ｂのそれぞれから受ける２フィールドの画像を、１フレームの立体放送方式対応の画像データ（図１参照）に変換して出力する。
【００２２】
具体的には、フレームメモリ装置２０は、図示しない２つのフィールドメモリを含み、カメラ２１ａから受けた右目用の画像データＲを一方のフィールドメモリに書込み、カメラ２１ｂから受けた左目用の画像データＬを他方のフィールドメモリに書込む。そして、各フィールドメモリから右目用の画像データＲおよび左目用の画像データＬを書込み速度の２倍の速さで読み出すことにより、立体放送方式対応の画像データを生成する。
【００２３】
図３は、このような画像データ生成装置３００のフレームメモリ装置２０の動作を説明するための摸式図であり、図３（ａ）、（ｂ）は、それぞれ右目用の画像の画面構成、左目用の画像の画面構成の一例を示し、図３（ｃ）は、フレームメモリ装置２０が出力する画像データの画面構成を示している。
【００２４】
図３（ａ）、（ｂ）を参照して、右目用の画像データＲおよび左目用の画像データＬに対応する画面の有効画素数を、水平方向画素数７０４画素（水平方向画素番号Ｉ：Ｉ＝１〜７０４）×垂直方向画素数２４０画素（垂直方向画素番号Ｊ：Ｊ＝１〜２４０）とし、さらに右目用画像データＲおよび左目用画像データＬの水平同期周波数ＦＨを１５．７５ｋＨｚ、垂直同期周波数ＦＲを５９．９４Ｈｚとする。
【００２５】
この場合、フィールドメモリへの書込み周波数をＦＨとし、読出周波数を（２×ＦＨ）とすると、フレームメモリ装置２０によって、図１で説明した画面構成からなる、水平同期周波数が３１．５ｋＨｚ、垂直同期周波数が５９．９４Ｈｚの画像データ（図３（ｃ））が生成されることになる。
【００２６】
以上の動作に基づき、フレームメモリ装置２０は、奇数フィールド対応の右目用および左目用の画像を含む画像データと、偶数フィールド対応の右目用および左目用の画像を含む画像データとを交互に生成（原画像）し、出力する。
【００２７】
続いて、このような立体放送方式対応の画像データを、予め定められた取り決めに従って符号化するディジタル符号化装置２００の構成、動作の一例について説明する。
【００２８】
図４は、ディジタル符号化装置２００および周辺回路の基本構成の一例を概略的に示すブロック図である。図４を参照して、ディジタル符号化装置２００は、映像ソース部４０、遅延装置４１、スイッチ４２、エンコーダ回路４４、およびフィールド判別回路４３を備える。
【００２９】
図４を参照して、映像ソース部４０は、図１に示した２画面分の情報を１画面に含めた立体放送方式対応の画像データを記録、再生することができる記録再生装置２９を含む。例えば、記録再生装置２９を前述した画像データ生成装置３００の出力側に接続することにより、画像データ生成装置３００で生成された立体放送方式対応の画像データを予め記録しておく。
【００３０】
遅延装置４１は、映像ソース部４０から入力した画像データを１フレーム（画面）ずらして出力する。たとえば、映像ソース部４０が奇数フィールド対応のｋ番目の画像データを出力した時点で、遅延装置４１は、偶数フィールド対応の（ｋー１）番目の画像データを出力する。さらに、映像ソース部４０が偶数フィールド対応の（ｋ＋１）番目の画像データを出力すると、遅延装置４１は、奇数フィールド対応のｋ番目の画像データを出力する。
【００３１】
スイッチ４２は、後述するフィールド判別回路４３の制御に基づき、データ映像ソース部４０もしくは遅延装置４１のいずれか一方から受けた画像データを出力する。
【００３２】
エンコーダ回路４４は、ＭＰＥＧ規格に遵守し、スイッチ４２から出力される画像データをＧＯＰ構造に従って符号化する。
【００３３】
ここで、エンコーダ回路４４における符号化について簡単に説明する。符号化においては、画像を、Ｉピクチャ（Ｉｎｔｒａ−Ｐｉｃｔｕｒｅ：フレーム内符号化画像）、Ｐピクチャ（Ｐｒｅｄｉｃｔｉｖｅ−Ｐｉｃｔｕｒｅ：フレーム内順方向予測符号化画像）、そしてＢピクチャ（Ｂｉｄｉｒｅｃｔｉｏｎａｌ−Ｐｉｃｔｕｒｅ：双方向予測符号化画像）に分類する。
【００３４】
Ｉピクチャは、画像内で符号化、および復号される画像であり、Ｐピクチャは、時間順に最も近い過去に存在する参照画像（Ｉピクチャ、もしくはＰピクチャ）を参照することにより符号化、および復号される画像であり、さらにＢピクチャは、時間順に最も近い過去に存在する画像と、最も近い未来に存在する参照画像を参照することにより符号化、および復号される画像である。
【００３５】
図５は、ＭＰＥＧ規格に基づく、Ｉピクチャ、Ｐピクチャ、およびＢピクチャの関係を説明するための図であり、時間的に連続した画像の並びを示している。
【００３６】
図５において、Ｉ２は、Ｉピクチャを、Ｐ５、Ｐ８、Ｐ１１は、Ｐピクチャを、そしてＢ０、Ｂ１、Ｂ３、Ｂ４、Ｂ６、Ｂ７、Ｂ９、Ｂ１０は、Ｂピクチャをそれぞれ示している。
【００３７】
図中の矢印は、矢印の終点にあたる画像が、矢印の始点にあたる画像を参照することを示している。図５において、ＩピクチャであるＩ２は、Ｉ２ピクチャ内で符号化を行ない、図５に示すＰピクチャ、そしてＢピクチャは、直接的、または間接的にＩ２ピクチャを参照する。このため、Ｐピクチャ、Ｂピクチャは、Ｉ２ピクチャを先に符号化しなければ符号化できない。このような参照関係にある複数の画像はＧＯＰ（Ｇｒｏｕｐ  ｏｆ  Ｐｉｃｔｕｒｅ）と呼ばれている。
【００３８】
なお、以下においては、一例として、図５に示す１２の画面からなるＧＯＰ構造を用いて説明するものとし、その先頭の画像データをＩ２ピクチャとし、さらに、簡単のため、符号化された画像データをＧＯＰ画像データと呼ぶ。
【００３９】
図４を参照して、フィールド判別回路４３は、エンコーダ回路４４から出力されるＧＯＰ画像データを受けて、ＧＯＰ画像データを判別し、判別結果に応じてスイッチ４２を制御する。具体的には、受けたＧＯＰ画像データを復号した場合に、最初に再生表示される画像が、奇数フィールド対応の画像データであるか否かを判定する。そして、奇数フィールド対応の画像データでないと判別した場合は、スイッチ４２を制御し、エンコーダ回路４４に入力する画像データを切り換える。
【００４０】
ここで参考のため、原画像の画像の並びと、符号化された画像の並びと、復号されて再生表示される画像の並びとの関係を説明する。
【００４１】
図６は、原画像の画像の並び、符号化された画像の並び、および復号されて再生表示される画像の並びを説明するための図である。図６（ａ）は、原画像における画像データの並びを、図６（ｂ）は、符号化された画像データの並びを、そして図６（ｃ）は、再生表示される画像データの並びをそれぞれ示している。図６を参照して、原画像の画像データ列に対して、図６（ａ）に示すようにＩピクチャ、Ｐピクチャ、Ｂピクチャを割り当てるものとする。
【００４２】
符号化処理においては、上述したように、Ｂピクチャをスキップして参照画像であるＩピクチャ、Ｐピクチャを符号化し、その後に参照画面の間に位置するＢピクチャを符号化する。
【００４３】
一方、復号化処理においては、参照画像から復号するが、復号された参照画像は、参照画像の間に位置するＢピクチャの復号が終了するまで再生表示されない。一方、復号されたＢピクチャは直ちに再生表示される。
【００４４】
この結果、図６に示すように、原画像、符号化された画像、そして再生画像の並びが互いに異なったものとなる。
【００４５】
図４を参照して、スイッチ４２は、フィールド判別回路４３の制御を受けて、映像ソース部４０から受けた入力を、遅延装置４１からの入力に切り換え、または遅延装置４１から受けた入力を、映像ソース部４０からの入力に切り換える。これにより、エンコーダ回路４４への入力が１フレームずれ、符号化のタイミングが切り換わる。
【００４６】
この結果、ディジタル符号化装置２００のエンコーダ回路４４から外部に出力されるＧＯＰ画像データは、復号されて再生表示された場合に、図６で説明した入れ替えが起こったとしても、その先頭画像は、必ず奇数フィールド対応の画像データになる。
【００４７】
なお、図４に示すように、ディジタル符号化装置２００のエンコーダ回路４４の出力を伝送装置４５に接続することによって、ＧＯＰ画像データは、外部に伝送される。伝送形態の一例としては、通信衛星機器を設けて、通信衛星で伝送するものが挙げられる。
【００４８】
さらに、ディジタル符号化装置２００は、映像ソース部４０に代わって、画像データ生成装置３００を直結するように構成するものであってもよい。
【００４９】
次に、上記手順で符号化された立体放送方式対応の画像データを受けて、再生する本発明の実施の形態１におけるディジタル放送受信機１００の構成と動作について説明する。
【００５０】
図７は、本発明の実施の形態１におけるディジタル放送受信機１００の基本構成の一例を概略的に示すブロック図である。図７を参照して、ディジタル放送受信機１００は、受信回路１、ＧＯＰ分離回路２、デコード回路３、フレームメモリ４、出力信号フォーマット回路５、およびＣＰＵ６を含む。
【００５１】
ディジタル放送受信機１００は、アンテナ１２で受信した１チャンネルの画像データ（図１）を入力に受ける。受信回路１は、図示しないチューナとディジタル復調回路とを備え、受信した画像データをディジタル復調する。
【００５２】
ＧＯＰ分離回路２は、受信回路１の出力を受けて、図５に示したＧＯＰ構造を一単位とするＧＯＰ画像データを分離する。具体的には、ＧＯＰ画像データの先頭に付加されるＧＯＰ開始コードを取得することによって、ＧＯＰ画像データを分離、出力する。
【００５３】
デコード回路３は、ＧＯＰ画像データをデコードする
フレームメモリ４は、デコード回路３から出力されるフレームデータを記憶する。フレームメモリ４に記憶されるフレームデータの順は、図６（ｃ）で示した再生画像の順に対応している。従って、フレームデータの先頭、すなわち、再生表示される先頭画像は、ディジタル符号化装置２００との取り決めにより、奇数フィールド対応のフレーム画像となっている。
【００５４】
出力信号フォーマット回路５は、フレームメモリ４に記憶されているフレームデータを用いて、これをフォーマット化して出力信号を生成する。出力信号は、図示しない後段に位置するモニタに送られる。
【００５５】
ＣＰＵ６は、各構成回路を制御する。
図８は、本発明の実施の形態１のディジタル放送受信機１００におけるフォーマット処理の手順を示したフロー図である。
【００５６】
ＧＯＰ分離回路２は、ＧＯＰ開始コードを取得する（ステップｓ１）。
ＧＯＰ開始コードが取得されると、デコード回路３は、ＧＯＰ画像データのデコードを開始する（ステップｓ２）。
【００５７】
この場合、先述したように、フレームメモリ４に記憶されるフレームデータの先頭は、符号化の取り決めにより、奇数フィールド対応の画像に対応している。
【００５８】
出力信号フォーマット回路５は、フレームメモリ４に記憶された先頭のフレームデータを受けて、ブロックＢ１、Ｂ２に２分割し、奇数フィールド対応の同期信号を付加して出力する（ステップｓ３）。
【００５９】
さらに、出力信号フォーマット回路５は、続くフレームデータについては、２分割して、偶数フィールド対応の同期信号を付加して出力する（ステップｓ４）。
【００６０】
さらに、出力信号フォーマット回路５は、続くフレームデータを受けて、２分割して、奇数フィールド対応の同期信号信号を付加して出力する（ステップｓ５）。
【００６１】
出力信号フォーマット回路５は、以下、ステップｓ４、ｓ５を繰り返す。
すなわち、本発明の実施の形態１におけるディジタル放送受信機１００は、送信側との取り決めにより、受信した画像データの奇数フィールド、偶数フィールド毎に適切にフォーマット化を行なうことが可能となる。
【００６２】
図９は、本発明の実施の形態１のディジタル放送受信機１００における画像データのフォーマットの状況を表わした図であり、図９（ａ）は、入力する画像データの画面と垂直同期信号との関係を、図９（ｂ）は、フォーマット処理後の画像データの画面と垂直同期信号との関係をそれぞれ示している。図９の記号Ｒ１、Ｒ２、…は、右目用の画像に対応し、図９の記号Ｌ１、Ｌ２、…は、左目用の画像に対応している。また、図９の記号Ｏ、Ｅは、それぞれ奇数フィールド、偶数フィールドを表わしている。なお、前述した取り決めに従うことにより、（Ｒ１、Ｌ１）、（Ｒ３、Ｌ３）、…が、奇数フィールドに対応し、（Ｒ２、Ｌ２）、（Ｒ４、Ｌ４）、…が、偶数フィールドに対応する。
【００６３】
図９を参照して、２画面分の画像情報を含む画像データ（図９（ａ））に対して、出力信号フォーマット回路５は、順次、取り決めに従って、奇数フィールド対応の画像データ（Ｒ１、Ｌ１、Ｒ３、Ｌ３、…）には、奇数フィールド対応の垂直同期信号を、偶数フィールド対応の画像データ（Ｒ２、Ｌ２、Ｒ４、Ｒ４、…）には、偶数フィールド対応の垂直同期信号を付加することができる。
【００６４】
なお、本実施例では、先頭画像を、奇数フィールドの画像に対応させて説明したが、偶数フィールドに対応させてもよい。
【００６５】
また、ＧＯＰ構造も図５に示したものには限られず、偶数の画像を含むＧＯＰ構造であれば足りる。
【００６６】
なお、図７に示すように、ディジタル放送受信機１００は、アンテナ１２からの入力に限られず、デコード回路３に記録再生装置９を接続し、取り決めに従って符号化された画像データを記録再生装置９から受ける構成にしてもよく、あるいは、デコード回路３で復号されたデータを記録再生装置９に記録するように構成するものであってもよい。
【００６７】
なお、記録再生装置９、２９の具体例としては、パソコンのハードディスク、ＤＶＤ、ＤＶＤ−ＲＡＭ、Ｄ−ＶＴＲ、ＭＤ、光磁気ディスク等が挙げられる。
【００６８】
【発明の効果】
以上のように、本発明のディジタル放送受信機によれば、送信側との取り決めにより受信した画像を復号することにより、順次受信される１チャンネルの立体放送方式対応の画像データが、奇数フィールド対応の画像データであるか、偶数フィールド対応の画像データであるかを判別することができる。
【００６９】
また、本発明のディジタル放送受信機によれば、判別した結果を利用することで、適切にフォーマット化して再生表示することができる。
【図面の簡単な説明】
【図１】本発明の実施の形態１のディジタル放送受信機が受信する画像データの画面構成の一例を示す図である。
【図２】本発明の実施の形態１の画像データ生成装置３００の基本構成の一例を概略的に示すブロック図である。
【図３】画像データ生成装置３００のフレームメモリ装置２０の動作を説明するための図である。
【図４】本発明の実施の形態１のディジタル符号化装置２００および周辺回路の基本構成の一例を概略的に示すブロック図である。
【図５】ＭＰＥＧ規格に基づく、Ｉピクチャ、Ｐピクチャ、およびＢピクチャの関係を説明するための図である。
【図６】原画像の並び、符号化された画像の並び、および復号されて再生表示される画像の並びを説明するための図である。
【図７】本発明の実施の形態１のディジタル放送受信機１００の基本構成の一例を概略的に示すブロック図である。
【図８】本発明の実施の形態１におけるディジタル放送受信機１００のフォーマット処理の手順を示したフロー図である。
【図９】本発明の実施の形態１のディジタル放送受信機１００における画像データのフォーマットの状況を表わした図である。
【符号の説明】
１  受信回路
２  ＧＯＰ分離回路
３  デコード回路
４  フレームメモリ
５  出力信号フォーマット回路
６  ＣＰＵ
９、２９  記録再生装置
１２  アンテナ
２０  フレームメモリ装置
２１ａ，２１ｂ  インタレース走査方式対応カメラ
４０  映像ソース部
４１  遅延装置
４２  スイッチ
４３  フィールド判別回路
４４  エンコーダ回路
４５  伝送装置
１００  ディジタル放送受信機
２００  ディジタル符号化装置
３００  画像データ生成装置
【図１】
0003732916.tif 000002
【図２】
0003732916.tif 000003
【図３】
0003732916.tif 000004
【図４】
0003732916.tif 000005
【図５】
0003732916.tif 000006
【図６】
0003732916.tif 000007
【図７】
0003732916.tif 000008
【図８】
0003732916.tif 000009
【図９】
0003732916.tif 000010